(57)【要約】【課題】センサを接続した状態において検出部における電圧の絶対値および相対値を制御回路で検出し、絶対値、相対値の組み合わせによってセンサの接続状態、動作状態、異常状態を判別することを特徴とする盗難防止装置を提供する。【解決手段】センサ部４は監視対象品への装着状態により抵抗が変化し、制御回路７は検出電圧が絶対値上限電圧以上である場合をセンサ無・非動作状態として判別し、検出電圧が絶対値下限電圧以下である場合をセンサ異常状態として判別し、検出電圧が絶対値設定範囲内にある場合をセンサ有・動作状態として判別し、現検出電圧を相対値基準電圧として設定するとともに、相対値基準電圧を基準として相対値上限電圧と相対値下限電圧の間に所定幅を有する相対値設定範囲を設定し、センサ有・動作状態において検出電圧が相対値設定範囲内にある場合をセンサ正常状態として判別し、検出電圧が相対値設定範囲外にある場合をセンサ異常状態として判別し、センサ正常状態において所定期間ごとに現検出電圧を相対値基準電圧として更新設定する。【選択図】　　図１
2004118755.tif 000002
【特許請求の範囲】
【請求項１】
コントローラのジャックに接続部を介してセンサ部を接続してなり、コントローラは基準電圧回路と検出部と制御回路とを有し、制御回路がジャックと基準電圧回路の接続点に接続した検出部で検出した検出電圧を指標としてセンサ部および接続部の状態を判別するものであり、
センサ部は監視対象品への装着状態により抵抗が変化し、制御回路は予め設定する絶対値上限電圧と絶対値下限電圧の間の絶対値設定範囲と検出電圧を比較し、検出電圧が絶対値上限電圧以上である場合をセンサ部がコントローラに接続されていないか、もしくはセンサ部が動作していないセンサ無・非動作状態として判別し、検出電圧が絶対値下限電圧以下である場合をセンサ部に異常があるセンサ異常状態として判別し、検出電圧が絶対値設定範囲内にある場合をセンサ部がコントローラに接続されて、かつ動作しているセンサ有・動作状態として判別し、現検出電圧を相対値基準電圧として設定するとともに、相対値基準電圧を基準として相対値上限電圧と相対値下限電圧の間に所定幅を有する相対値設定範囲を設定し、センサ有・動作状態において検出電圧が相対値設定範囲内にある場合をセンサ正常状態として判別し、検出電圧が相対値設定範囲外にある場合をセンサ異常状態として判別し、センサ正常状態において所定期間ごとに現検出電圧を相対値基準電圧として更新設定することを特徴とする盗難防止装置。
【請求項２】
コントローラのジャックに接続部を介してセンサ部を接続してなり、コントローラは基準電圧回路と検出部と制御回路とを有し、制御回路がジャックと基準電圧回路の接続点に接続した検出部で検出した検出電圧を指標としてセンサ部および接続部の状態を判別するものであり、
センサ部は監視対象品への装着状態により第１抵抗が変化し、装着状態に拘わらず第２抵抗が常に導通し、制御回路は検出電圧を予め設定する絶対値上限電圧と絶対値下限電圧の間の絶対値設定範囲、および絶対値上限電圧を基準とする上方域に所定幅で設定するセンサ有無検出範囲と比較し、検出電圧が絶対値上限電圧以上で、かつセンサ有無検出範囲外である場合をセンサ部がコントローラに接続されていないセンサ無状態として判別し、検出電圧がセンサ有無検出範囲内である場合をセンサ部がコントローラに接続され、かつセンサ部が動作していないセンサ有状態と判別し、検出電圧が絶対値下限電圧以下である場合をセンサ部に異常があるセンサ異常状態として判別し、
検出電圧が絶対値設定範囲内にある場合をセンサ部が動作しているセンサ動作状態として判別し、現検出電圧を相対値基準電圧として設定するとともに、相対値基準電圧を基準として相対値上限電圧と相対値下限電圧の間に所定幅を有する相対値設定範囲を設定し、センサ動作状態において検出電圧が相対値設定範囲内にある場合をセンサ正常状態として判別し、検出電圧が相対値設定範囲外にある場合をセンサ異常状態として判別し、センサ正常状態において所定期間ごとに現検出電圧を相対値基準電圧として更新設定することを特徴とする盗難防止装置。
【発明の詳細な説明】
【０００１】
【発明の属する技術分野】
本発明は盗難防止装置に関し、展示商品等に取り付けたセンサの変化を検出して警報・通報する技術に係るものである。
【０００２】
【従来の技術】
従来、この種の盗難防止装置においては、商品に取り付けるユニット（センサ）に抵抗器を内蔵し、この抵抗と警報ユニットをワイヤで接続するものがあり、警報ユニットにおいて回路上の特定点における電圧の絶対値を判定回路で判定し、ワイヤの断線、短絡時に起こる電圧の絶対値の変化を検出して警報を発生させるものがあり、例えば特許文献１がある。
【０００３】
また、抵抗を有するタグ（センサ）を商品に貼着し、タグをコネクタおよび導線を介して制御手段に接続するものがあり、微分回路を通して制御手段に流れる電圧の絶対値を測定し、タグの剥離、導線の切断等によって生じする電圧の時間的な変化を検出して警報を発生させるものがあり、例えば特許文献２がある。
【０００４】
また、抵抗を有するタグ（センサ）を商品に貼着し、タグを接続ケーブルを介して２極プラグで中継器のジャックに接続し、ジャックに３つの端子を設け、ジャックに対する２極プラグの抜挿しによって各端子の接続状態を変えてジャックに２極プラグが接続されているか、否かを判断するものがあり、例えば特許文献３がある。
【０００５】
【特許文献１】特開平１０−２２８５９２号公報
【０００６】
【特許文献２】特開平７−１２１７７９号公報
【０００７】
【特許文献３】特許第３１３５４７３号公報
【０００８】
【発明が解決しようとする課題】
しかし、タグ等のセンサの形態は多様化しており、センサを接続する導線の断線や短絡による電圧の変化をその絶対値の変化だけを検出することでは対応できなくなっている。また、微分回路を用いて電圧の時間的な変化を検出する場合には、センサをゆっくりと剥がす等の行為によって電圧の変化が遅くなると変化を検出できない問題があった。また、ジャックに対するプラグの抜挿しによって３つの端子の接続状態を変えてプラグが接続されているか、否かを判断する構成では基板上に設ける端子のスペースが多く必要となる。
【０００９】
本発明は上記した課題を解決するものであり、センサを接続した状態において検出部における電圧の絶対値および相対値を制御回路で検出し、絶対値、相対値の組み合わせによってセンサの接続状態、動作状態、異常状態を判別することを特徴とする盗難防止装置を提供することを目的とする。
【００１０】
【課題を解決するための手段】
上記課題を解決するために、請求項１に係る本発明の盗難防止装置は、コントローラのジャックに接続部を介してセンサ部を接続してなり、コントローラは基準電圧回路と検出部と制御回路とを有し、制御回路がジャックと基準電圧回路の接続点に接続した検出部で検出した検出電圧を指標としてセンサ部および接続部の状態を判別するものであり、センサ部は監視対象品への装着状態により抵抗が変化し、制御回路は予め設定する絶対値上限電圧と絶対値下限電圧の間の絶対値設定範囲と検出電圧を比較し、検出電圧が絶対値上限電圧以上である場合をセンサ部がコントローラに接続されていないか、もしくはセンサ部が動作していないセンサ無・非動作状態として判別し、検出電圧が絶対値下限電圧以下である場合をセンサ部に異常があるセンサ異常状態として判別し、検出電圧が絶対値設定範囲内にある場合をセンサ部がコントローラに接続されて、かつ動作しているセンサ有・動作状態として判別し、現検出電圧を相対値基準電圧として設定するとともに、相対値基準電圧を基準として相対値上限電圧と相対値下限電圧の間に所定幅を有する相対値設定範囲を設定し、センサ有・動作状態において検出電圧が相対値設定範囲内にある場合をセンサ正常状態として判別し、検出電圧が相対値設定範囲外にある場合をセンサ異常状態として判別し、センサ正常状態において所定期間ごとに現検出電圧を相対値基準電圧として更新設定するものである。
【００１１】
上記した構成により、コントローラにセンサ部を接続していないか、装着状態不正常によりセンサ部が動作していないセンサ無・非動作状態では、検出部が基準電圧回路の基準電圧を検出電圧として検出する。絶対値設定範囲の絶対値上限電圧を基準電圧より低い値に設定することにより、検出電圧は絶対値上限電圧以上となり、絶対値においてセンサ部のセンサ無・非動作状態を判別することができる。コントローラにセンサ部が接続されて、かつ装着状態正常によりセンサ部が動作しているセンサ有・動作状態では、基準電圧回路の基準電圧がセンサ部の抵抗の存在によって分圧され、この分電圧を検出部が検出電圧として検出する。検出電圧は絶対値上限電圧以下となり、絶対値においてセンサ部のセンサ有・動作状態を判別することができる。したがって、２極のジャックでセンサ部の有無状態と動作・非動作状態を同時に判別できることになる。
【００１２】
センサ有・動作状態で現検出電圧を相対値基準電圧として相対値設定範囲を設定することで、センサ部、接続部で断線、短絡等が生じて検出電圧が相対値設定範囲外に変化したときをセンサ異常状態として判別できる。たとえば断線すると検出電圧は相対値上限電圧以上となるとともにセンサ無・非動作状態と同様に絶対値上限電圧以上となり、相対値および絶対値でセンサ異常状態を判別できる。また、接続部で短絡した後にセンサ部を切断すると検出電圧は相対値下限電圧以下となるとともに絶対値下限電圧以下となり、相対値および絶対値でセンサ異常状態として判別できる。
【００１３】
この短絡する回路にセンサ部の抵抗より大きいダミー抵抗を介在させる場合には検出電圧は絶対値設定範囲内となり絶対値でセンサ異常状態を判別できないが、相対値上限電圧以上となり、相対値でセンサ異常状態を判別できる。ダミー抵抗がセンサ部の抵抗より小さい場合には検出電圧は絶対値設定範囲内となり絶対値でセンサ異常状態を判別できないが、検出電圧は相対値下限電圧以下となり、相対値でセンサ異常状態を判別できる。したがって、センサ部の抵抗に応じて相対値設定範囲における上限と下限間の検出幅を変更することにより種類の異なるセンサ部にも対応することができ、あるいは使用環境の温度に応じて検出幅を変更することにより誤動作を防止できる。
【００１４】
センサ正常状態において所定期間ごとに現検出電圧を相対値基準電圧として更新設定することにより、経年変化や使用環境の温度の変化によるセンサ部の抵抗値の変化に追従して相対値設定範囲を変更させることができ、センサ部の経年変化による誤作動を防止し、温度補償を行え、そのコストを抑制できる。この更新によって相対値基準電圧が絶対値下限電圧又は絶対値上限電圧に近づくと、検出電圧が相対値設定範囲内にあっても絶対値下限電圧以下又は絶対値上限電圧以上となる場合があり、相対値でセンサ異常状態を判別でないが、絶対値でセンサ異常状態を判別できる。したがって、絶対値による判別と相対値による判別を組み合わせることで、誤りのない判別を行うことができる。
【００１５】
請求項２に係る本発明の盗難防止装置は、コントローラのジャックに接続部を介してセンサ部を接続してなり、コントローラは基準電圧回路と検出部と制御回路とを有し、制御回路がジャックと基準電圧回路の接続点に接続した検出部で検出した検出電圧を指標としてセンサ部および接続部の状態を判別するものであり、センサ部は監視対象品への装着状態により第１抵抗が変化し、装着状態に拘わらず第２抵抗が常に導通し、制御回路は検出電圧を予め設定する絶対値上限電圧と絶対値下限電圧の間の絶対値設定範囲、および絶対値上限電圧を基準とする上方域に所定幅で設定するセンサ有無検出範囲と比較し、検出電圧が絶対値上限電圧以上で、かつセンサ有無検出範囲外である場合をセンサ部がコントローラに接続されていないセンサ無状態として判別し、検出電圧がセンサ有無検出範囲内である場合をセンサ部がコントローラに接続され、かつセンサ部が動作していないセンサ有状態と判別し、検出電圧が絶対値下限電圧以下である場合をセンサ部に異常があるセンサ異常状態として判別し、
検出電圧が絶対値設定範囲内にある場合をセンサ部が動作しているセンサ動作状態として判別し、現検出電圧を相対値基準電圧として設定するとともに、相対値基準電圧を基準として相対値上限電圧と相対値下限電圧の間に所定幅を有する相対値設定範囲を設定し、センサ動作状態において検出電圧が相対値設定範囲内にある場合をセンサ正常状態として判別し、検出電圧が相対値設定範囲外にある場合をセンサ異常状態として判別し、センサ正常状態において所定期間ごとに現検出電圧を相対値基準電圧として更新設定するものであります。
【００１６】
上記した構成により、コントローラにセンサ部を接続していないセンサ無状態では、検出部が基準電圧回路の基準電圧を検出電圧として検出する。センサ有無検出範囲の上限電圧を基準電圧より低い値に設定することにより、検出電圧はセンサ有無検出範囲の上限電圧以上となり、絶対値においてセンサ部のセンサ無状態を判別することができる。コントローラにセンサ部を接続し、かつ装着状態不正常によりセンサ部が動作していないセンサ有状態では、基準電圧回路の基準電圧がセンサ部の第２抵抗の存在によって分圧され、この分電圧を検出部が検出電圧として検出する。検出電圧はセンサ有無検出範囲内となり、絶対値においてセンサ部のセンサ有状態を判別することができる。したがって、２極のジャックでセンサの有無状態とセンサ部の動作・非動作を分けて判別できる。
【００１７】
コントローラにセンサ部を接続し、装着状態正常によりセンサ部が動作しているセンサ動作状態では、基準電圧回路の基準電圧がセンサ部の第１および第２抵抗の存在によって分圧され、この分電圧を検出部が検出電圧として検出する。この検出電圧は絶対値上限電圧以下となり、絶対値においてセンサ部のセンサ動作状態を判別することができる。
【００１８】
センサ動作状態で現検出電圧を相対値基準電圧として相対値設定範囲を設定することで、センサ部、接続部で断線、短絡等が生じて検出電圧が相対値設定範囲外に変化したときをセンサ異常状態として判別できる。たとえば断線すると検出電圧は相対値上限電圧以上となるとともにセンサ無状態と同様に絶対値上限電圧以上でセンサ有無検出範囲外となり、相対値および絶対値でセンサ異常状態を判別できる。また、接続部で短絡した後にセンサ部を切断すると検出電圧は相対値下限電圧以下となるとともに絶対値下限電圧以下となり、相対値および絶対値でセンサ異常状態として判別できる。
【００１９】
この短絡する回路にセンサ部の第１抵抗及び第２抵抗の合成抵抗より大きいダミー抵抗を介在させる場合には検出電圧は絶対値設定範囲内となり絶対値でセンサ異常状態を判別できないが、相対値上限電圧以上となり、相対値でセンサ異常状態を判別できる。ダミー抵抗がセンサ部の第１抵抗及び第２抵抗の合成抵抗より小さい場合には検出電圧は絶対値設定範囲内となり絶対値でセンサ異常状態を判別できないが、検出電圧は相対値下限電圧以下となり、相対値でセンサ異常状態を判別できる。したがって、センサ部の第１抵抗および第２抵抗に応じて相対値設定範囲における上限と下限間の検出幅を変更することにより種類の異なるセンサ部にも対応することができ、あるいは使用環境の温度に応じて検出幅を変更することにより誤動作を防止できる。
【００２０】
センサ正常状態において所定期間ごとに現検出電圧を相対値基準電圧として更新設定することにより、経年変化や使用環境の温度の変化によるセンサ部の第１抵抗もしくは第２抵抗の値の変化に追従して相対値設定範囲を変更させることができ、センサ部の経年変化による誤作動を防止し、温度補償を行え、そのコストを抑制できる。この更新によって相対値基準電圧が絶対値下限電圧又は絶対値上限電圧に近づくと、検出電圧が相対値設定範囲内にあっても絶対値下限電圧以下又は絶対値上限電圧以上となる場合があり、相対値でセンサ異常状態を判別でないが、絶対値でセンサ異常状態を判別できる。したがって、絶対値による判別と相対値による判別を組み合わせることで、誤りのない判別を行うことができる。
【００２１】
【発明の実施の形態】
以下、本発明の実施の形態を図面に基づいて説明する。図１〜図２において、コントローラ１は２Ｐジャック２に接続部３を介してセンサ部４を接続しており、接続部３はセンサ部４に接続するコネクタ３ａと２Ｐジャック２に接続する２Ｐプラグ３ｂとコネクタ３ａと２Ｐプラグ３ｂを接続する一対の導線３ｃとからなる。センサ部４はスイッチ４ａと抵抗４ｂを有し、監視対象品への装着状態によるスイッチ４ａのＯＮ・ＯＦＦで抵抗４ｂが導通・非導通となる。
【００２２】
コントローラ１は抵抗５ａを有する基準電圧回路５と検出部６と制御回路７と表示灯８とブザー回路９と電源回路１０とを有し、検出部６は２Ｐジャック２と基準電圧回路５の接続点における電圧を検出電圧として検出してＡ／Ｄ変換後に制御回路７に検出電圧の値を入力する。制御回路７は通常の電気回路や集積回路等からなり、回路によってあるいはプログラムによって制御機能を設定するものであって、検出部６で検出した検出電圧を指標としてセンサ部４および接続部３の状態を判別し、判別結果に応じて表示灯８を点灯し、ブザー回路９で警報を発報する。
【００２３】
制御回路７は以下の判別機能を有している。予め絶対値設定範囲を設定しており、絶対値設定範囲は絶対値上限電圧と絶対値下限電圧の間に所定幅を有している。検出電圧が絶対値上限電圧以上である場合をセンサ無・非動作状態として判別し、検出電圧が絶対値下限電圧以下である場合をセンサ異常状態として判別し、検出電圧が絶対値設定範囲内にある場合をセンサ有・動作状態として判別する。センサ有・動作状態と判別すると現検出電圧を相対値基準電圧として設定するとともに、相対値基準電圧を基準として相対値上限電圧と相対値下限電圧の間に所定幅を有する相対値設定範囲を設定する。このセンサ有・動作状態において検出電圧が相対値設定範囲内にある場合をセンサ正常状態として判別し、検出電圧が相対値設定範囲外にある場合をセンサ異常状態として判別し、センサ正常状態において所定期間ごとに現検出電圧を相対値基準電圧として更新設定する。
【００２４】
以下、上記した構成における作用を説明する。図２に示すように、コントローラ１を起動させた状態において、センサ部４がコントローラ１に接続されていないか、もしくはセンサ部４が装着状態不正常でスイッチ４ａがＯＦＦである場合に、検出部６は基準電圧回路５の基準電圧を検出電圧として検出する。絶対値設定範囲の絶対値上限電圧は基準電圧より低い値に設定しているので、制御回路７は検出部６で検出した検出電圧が絶対値上限電圧以上であるとして絶対値においてセンサ部４のセンサ無・非動作状態を判別し、表示灯８を点灯するか、ブザー回路９で警報を発報する。
【００２５】
センサ部４がコントローラ１に接続されて、かつセンサ部４が装着状態正常でスイッチ４ａがＯＮでセンサ部４が動作している場合に、基準電圧回路５の基準電圧はセンサ部４の抵抗４ｂの存在によって分圧され、この分電圧を検出部６が検出電圧として検出する。この検出電圧は絶対値上限電圧以下となり、制御回路７は絶対値においてセンサ部のセンサ有・動作状態を判別し、２極の２Ｐジャック２でセンサ部の有無状態および動作状態を同時に判別できることになる。
【００２６】
制御回路７はセンサ有・動作状態において現検出電圧を相対値基準電圧として設定するとともに、相対値基準電圧を基準として相対値上限電圧と相対値下限電圧の間に所定幅を有する相対値設定範囲を設定する。
【００２７】
センサ部４が正常に動作している場合に、検出電圧は相対値設定範囲内となり、制御回路７は相対値においてセンサ正常状態を判別する。センサ部４、接続部３で断線、短絡等が生じた場合には、検出電圧が相対値設定範囲外に変化する。たとえば断線すると検出電圧は相対値上限電圧以上となるとともにセンサ無・非動作状態と同様に絶対値上限電圧以上となり、制御回路７は相対値および絶対値でセンサ異常状態を判別する。また、接続部３で短絡した後にセンサ部４を切断した場合には、検出電圧が相対値下限電圧以下となるとともに絶対値下限電圧以下となり、制御回路７は相対値および絶対値でセンサ異常状態を判別する。
【００２８】
この短絡するための回路にセンサ部４の抵抗４ｂより大きいか、もしくは小さいダミー抵抗を介在させる場合（窃盗行為者に抵抗４ｂの正確な値はわからないのでいずれかとなる）には、検出電圧は絶対値設定範囲内となり絶対値でセンサ異常状態を判別できない。しかし、検出電圧は相対値上限電圧以上、もしくは相対値下限電圧以下となり、制御回路７は相対値でセンサ異常状態を判別する。したがって、センサ部４の抵抗に応じて相対値設定範囲における上限と下限間の検出幅を変更することにより種類の異なるセンサ部４にも対応することができ、あるいは使用環境の温度に応じて検出幅を変更することで誤動作を防止できる。
【００２９】
制御回路７は経年変化や使用環境の温度の変化によるセンサ部４の抵抗値の変化に追従するために、センサ正常状態において所定期間ごとに、あるいは所定幅の電圧降下を検出したときに現検出電圧を相対値基準電圧として更新設定する。このことにより、センサ部４の経年変化による誤作動を防止し、温度補償を行え、そのコストを抑制できる。
【００３０】
この更新によって相対値基準電圧が絶対値下限電圧又は絶対値上限電圧に近づくと、検出電圧が相対値設定範囲内にあっても絶対値下限電圧以下又は絶対値上限電圧以上となる場合がある。この場合には相対値でセンサ異常状態を判別でないが、絶対値でセンサ異常状態を判別する。このように、絶対値による判別と相対値による判別を組み合わせることで、誤りのない判別を行う。
【００３１】
上述した実施の形態では、センサ部４にスイッチ４ａと抵抗４ｂを配置したが、図３に示すように、抵抗１１として抵抗値が変化するものを使用することも可能である。例えば抵抗１１を接着剤等の接着層によって監視対象品に貼着し、窃盗行為によってセンサ部４が監視対象品から剥がされたときに、抵抗１１が断線や一部の欠落によって抵抗値が変化するように構成する。このことにより、監視対象品へのセンサ部４の装着状態に由来して抵抗１１が変化する状態を具現できる。
【００３２】
図４〜図５は本発明の他の実施の形態を示すものであり、先の実施の形態と同様の作用を行う部材は同一番号を付して説明を省略する。図４〜図５において、センサ部４はスイッチ４ａと第１抵抗４ｂと第２抵抗４ｃを有し、第１抵抗４ｂと第２抵抗４ｃは並列に配置し、監視対象品への装着状態によるスイッチ４ａのＯＮ・ＯＦＦで第１抵抗４ｂが導通・非導通となり、スイッチ４ａのＯＮ・ＯＦＦに拘わらず第２抵抗４ｃが常に導通する。
【００３３】
制御回路７は以下の判別機能を有している。予め絶対値設定範囲とセンサ有無検出範囲とを設定しており、絶対値設定範囲は絶対値上限電圧と絶対値下限電圧の間に所定幅を有し、センサ有無検出範囲は絶対値上限電圧を基準とする上方域に所定幅を有している。検出電圧が絶対値上限電圧以上で、かつセンサ有無検出範囲外である場合をセンサ無状態として判別し、検出電圧がセンサ有無検出範囲内である場合をセンサ有状態と判別し、検出電圧が絶対値下限電圧以下である場合をセンサ異常状態として判別し、検出電圧が絶対値設定範囲内にある場合をセンサ動作状態として判別する。
【００３４】
センサ動作状態と判別すると現検出電圧を相対値基準電圧として設定するとともに、相対値基準電圧を基準として相対値上限電圧と相対値下限電圧の間に所定幅を有する相対値設定範囲を設定する。このセンサ動作状態において検出電圧が相対値設定範囲内にある場合をセンサ正常状態として判別し、検出電圧が相対値設定範囲外にある場合をセンサ異常状態として判別し、センサ正常状態において所定期間ごとに現検出電圧を相対値基準電圧として更新設定する。
【００３５】
以下、上記した構成における作用を説明する。図５に示すように、コントローラ１を起動させた状態において、センサ部４がコントローラ１に接続されていない場合に、検出部６は基準電圧回路５の基準電圧を検出電圧として検出する。絶対値設定範囲の絶対値上限電圧およびセンサ有無検出範囲の上限電圧は基準電圧より低い値に設定しているので、制御回路７は検出部６で検出した検出電圧が絶対値上限電圧以上で、かつセンサ有無検出範囲外であるとして絶対値においてセンサ部４のセンサ無状態を判別する。
【００３６】
コントローラ１にセンサ部４を接続し、かつ装着状態不正常によりスイッチ４ａがＯＦＦの場合に、基準電圧回路５の基準電圧がセンサ部の第２抵抗４ｃの存在によって分圧され、この分電圧を検出部６が検出電圧として検出する。この検出電圧はセンサ有無検出範囲内となり、絶対値においてセンサ部４のセンサ有状態を判別することができる。センサ部４がコントローラ１に接続されて、かつ装着状態正常によりスイッチ４ａがＯＮでセンサ部４が動作している場合に、基準電圧回路５の基準電圧がセンサ部４の第１抵抗４ｂ、第２抵抗４ｃの存在によって分圧され、この分電圧を検出部６が検出電圧として検出する。この検出電圧は絶対値上限電圧以下となり、絶対値においてセンサ部のセンサ動作状態を判別することができる。したがって、２極のジャックでセンサ部の有無状態とセンサ部４の動作・非動作を分けて判別できる。
【００３７】
センサ動作状態では、現検出電圧を相対値基準電圧として設定するとともに、相対値基準電圧を基準として相対値上限電圧と相対値下限電圧の間に所定幅を有する相対値設定範囲を設定する。センサ部４が正常に動作している場合に、検出電圧は相対値設定範囲内となり、制御回路７は相対値においてセンサ正常状態を判別する。センサ部４、接続部３で断線、短絡等が生じた場合には、検出電圧が相対値設定範囲外に変化する。たとえば断線すると検出電圧は相対値上限電圧以上となるとともにセンサ無・非動作状態と同様に絶対値上限電圧以上となり、制御回路７は相対値および絶対値でセンサ異常状態を判別する。また、接続部３で短絡した後にセンサ部４を切断した場合には、検出電圧が相対値下限電圧以下となるとともに絶対値下限電圧以下となり、制御回路７は相対値および絶対値でセンサ異常状態を判別する。
【００３８】
この短絡するための回路にセンサ部４の第１抵抗４ｂ及び第２抵抗４ｃの合成抵抗より大きいか、もしくは小さいダミー抵抗を介在させる場合（窃盗行為者に抵抗の正確な値はわからないのでいずれかとなる）には、検出電圧は絶対値設定範囲内となり絶対値でセンサ異常状態を判別できない。しかし、検出電圧は相対値上限電圧以上、もしくは相対値下限電圧以下となり、制御回路７は相対値でセンサ異常状態を判別する。したがって、センサ部４の第１抵抗４ｂ及び第２抵抗４ｃに応じて相対値設定範囲における上限と下限間の検出幅を変更することにより種類の異なるセンサ部４にも対応することができ、あるいは使用環境の温度に応じて検出幅を変更することで誤動作を防止できる。
【００３９】
制御回路７は経年変化や使用環境の温度の変化によるセンサ部４の第１抵抗４ｂもしくは第２抵抗４ｃの値の変化に追従するために、センサ正常状態において所定期間ごとに、あるいは所定幅の電圧降下を検出したときに現検出電圧を相対値基準電圧として更新設定する。このことにより、センサ部４の経年変化による誤作動を防止し、温度補償を行え、そのコストを抑制できる。
【００４０】
この更新によって相対値基準電圧が絶対値下限電圧又は絶対値上限電圧に近づくと、検出電圧が相対値設定範囲内にあっても絶対値下限電圧以下又は絶対値上限電圧以上となる場合がある。この場合には相対値でセンサ異常状態を判別でないが、絶対値でセンサ異常状態を判別する。このように、絶対値による判別と相対値による判別を組み合わせることで、誤りのない判別を行う。
【００４１】
【発明の効果】
以上のように本発明によれば、制御回路において検出電圧を絶対値設定範囲と相対値設定範囲と比較することで、絶対値においてセンサ部の有無状態と動作・非動作状態を同時に判別し、相対値においてセンサの異常・正常状態を判別でき、センサ正常状態において相対値基準電圧を更新設定することにより、経年変化や使用環境の温度の変化によるセンサ部の誤作動を防止し、温度補償を行え、そのコストを抑制でき、相対値基準電圧の更新に起因して検出電圧が相対値設定範囲内で絶対値下限電圧以下又は絶対値上限電圧以上となる場合にも絶対値でセンサ異常状態を判別でき、絶対値による判別と相対値による判別を組み合わせることで、誤りのない判別を行うことができる。また、制御回路において検出電圧をセンサ有無検出範囲と絶対値設定範囲と相対値設定範囲と比較することで、絶対値においてセンサ部の有無状態と動作・非動作状態を分けて判別し、相対値においてセンサの異常・正常状態を判別できる。
【図面の簡単な説明】
【図１】本発明の実施の形態における盗難防止装置の構成を示すブロック図である。
【図２】同実施の形態における盗難防止装置の動作を示す模式図である。
【図３】本発明の他の実施の形態における盗難防止装置の構成を示すブロック図である。
【図４】本発明の他の実施の形態における盗難防止装置の構成を示すブロック図である。
【図５】同実施の形態における盗難防止装置の動作を示す模式図である。
【符号の説明】
１　　コントローラ
２　　２Ｐジャック
３　　接続部
３ａ　コネクタ
３ｂ　２Ｐプラグ
３ｃ　導線
４　　センサ部
４ａ　スイッチ
４ｂ　抵抗（第１抵抗）
４ｃ　第２抵抗
５　　基準電圧回路
５ａ　抵抗
６　　検出部
７　　制御回路
８　　表示灯
９　　ブザー回路
１０　　電源回路
【図１】
2004118755.tif 000003
【図２】
2004118755.tif 000004
【図３】
2004118755.tif 000005
【図４】
2004118755.tif 000006
【図５】
2004118755.tif 000007